(57)【要約】【課題】  天井材を容易に施工することのできる簡易建物の提供。【解決手段】  垂木１，２と下地材３ａ，３ｂ，３ｃと天井材６とを備え、垂木１，２は、長手方向の端部が低くなるように傾斜しており、下地材３ｂ，３ｃは、垂木１，２の長手方向に間隔をおいて設けてあり、垂木１，２の下面に取付く下地材本体４ａ，４ｂと、下地材本体４ａ，４ｂに下方より係合する下地調整材５とを有し、天井材６は、下地調整材５の下面に取付けてあり、下地材本体４ａ，４ｂに対する下地調整材５の位置を上下方向に調整してある。【選択図】      図１
2020148006.tif 000002
【特許請求の範囲】
【請求項１】
垂木と下地材と天井材とを備え、垂木は、長手方向の端部が低くなるように傾斜しており、下地材は、垂木の長手方向に間隔をおいて設けてあり、垂木の下面に取付く下地材本体と、下地材本体に下方より係合する下地調整材とを有し、天井材は、下地調整材の下面に取付けてあり、下地材本体に対する下地調整材の位置を上下方向に調整してあることを特徴とする簡易建物。
【発明の詳細な説明】
【技術分野】
【０００１】
本発明は、カーポート等の簡易建物に関する。
【背景技術】
【０００２】
カーポート等の簡易建物においては、高級感を出すために屋根の下に天井材を張りたいという要望がある。簡易建物の屋根は、垂木が湾曲していたりするため（例えば、非特許文献１参照）、天井材を張りにくく、天井材を容易に施工できる構造が求められた。
【先行技術文献】
【非特許文献】
【０００３】
【非特許文献１】三協立山株式会社 三協アルミ社発行のカタログ「エクステリア  総合カタログ」（カタログＮｏ．ＳＴＸ１０８９Ａ ＴＳ．１７．０３−３０００）、２０１７年２月、ｐ．８５１
【発明の概要】
【発明が解決しようとする課題】
【０００４】
本発明は以上に述べた実情に鑑み、天井材を容易に施工することのできる簡易建物の提供を目的とする。
【課題を解決するための手段】
【０００５】
上記の課題を達成するために請求項１記載の発明による簡易建物は、垂木と下地材と天井材とを備え、垂木は、長手方向の端部が低くなるように傾斜しており、下地材は、垂木の長手方向に間隔をおいて設けてあり、垂木の下面に取付く下地材本体と、下地材本体に下方より係合する下地調整材とを有し、天井材は、下地調整材の下面に取付けてあり、下地材本体に対する下地調整材の位置を上下方向に調整してあることを特徴とする。
【発明の効果】
【０００６】
請求項１記載の発明による簡易建物は、垂木の長手方向に間隔をおいて下地材を設けてあり、下地材は、垂木の下面に取付く下地材本体と、下地材本体に下方より係合する下地調整材とを有し、下地材本体に対する下地調整材の位置を上下方向に調整して、下地調整材の下面に天井材を取付けることで、垂木が長手方向の端部が低くなるように傾斜していても、天井材を容易に施工することができる。
【図面の簡単な説明】
【０００７】
【図１】図４のＡ−Ａ断面図である。
【図２】天井材の周辺を拡大して示す縦断面図である。
【図３】図４のＢ−Ｂ断面図である。
【図４】本発明の簡易建物の一実施形態を示す平面図である。
【図５】同簡易建物の正面図である。
【図６】本発明の簡易建物の応用例を示す平面図であって、透光パネル体と非透光パネル体の配置の例を示す。
【図７】（ａ）は天井材桁カバーの取付け方を示す斜視図であり、（ｂ）及び（ｃ）は天井材桁カバーの取付け方を示す縦断面図である。
【図８】下地材（下地材本体）の取付け方を示す斜視図である。
【図９】屋根の幅の違いによる下地材の配置の例を示す縦断面図である。
【図１０】（ａ）は下地調整材の取付け方を示す斜視図であり、（ｂ）は同縦断面図、（ｃ）は下地材を拡大して示す縦断面図である。
【図１１】（ａ）は天井材枠の取付け方を示す斜視図であり、（ｂ）は同縦断面図である。
【図１２】（ａ）は前側端部の天井材の取付け方を示す斜視図であり、（ｂ）は同縦断面図である。
【図１３】天井材を左右の天井材桁カバー間に嵌め込むときの状態を示す縦断面図である。
【図１４】（ａ）は中間部及び後側端部の天井材の取付け方を示す斜視図であり、（ｂ）は同縦断面図である。
【図１５】（ａ）は天井材カバーの取付け方を示す斜視図であり、（ｂ）は同縦断面図である。
【図１６】透光パネル体の分解斜視図である。
【発明を実施するための形態】
【０００８】
以下、本発明の実施の形態を図面に基づいて説明する。図１〜５は、本発明の簡易建物の一実施形態を示している。本簡易建物は、住宅の敷地内における建物の前方に設置され、主としてカーポートとして用いられるものであり、図４，５に示すように、梁１０の両端を柱１１，１１で支持した門型の前フレーム１２ａ及び後フレーム１２ｂと、前後のフレーム１２ａ，１２ｂに支持される屋根９とを備えている。屋根９は、前後のフレーム１２ａ，１２ｂの梁１０に吊り金具１３で吊り下げて支持してある。
【０００９】
屋根９は、図４に示すように、左右両側に桁１４，１４を有し、左右の桁１４，１４の前側の端部間と後側の端部間に妻垂木２，２を取付け、前後の妻垂木２，２の間の左右の桁１４，１４間に複数の垂木１，１，…を前後方向に間隔をおいて取付け、妻垂木２と垂木１の間、垂木１同士の間に樹脂製の屋根パネル１５を取付けて構成してある。妻垂木２と垂木１は、図１，２，５に示すように、長手方向の両端部が低くなるようにＲ状に湾曲して傾斜している。図４，５に示すように、左右の桁１４の外側には桁破風１６ａが、前後の妻垂木２の外側には妻破風１６ｂがそれぞれ取付けてあり、簡易建物の周囲から見ると屋根９がこれらの破風１６ａ，１６ｂに隠れて見えないようになっている。
【００１０】
本簡易建物は、図１，３，５に示すように、屋根（被取付材）９の下に帯板状の天井材６が前後方向に並べて取付けてある。垂木（妻垂木を含む）１，２には、天井材６を取付けるために下地材３が長手方向に間隔をおいて設けてある。下地材３は、図２に示すように、垂木１，２の長手方向端部に取付けられる端部下地材３ａと、中間部に取付けられる中間部下地材３ｂと、中央部に取付けられる中央部下地材３ｃとがある。
端部下地材３ａは、単一のアルミ形材で形成した長尺材であり、上面に垂木１，２下面への取付部１７が垂木１，２の傾斜に合わせて傾斜して設けてあり、下面に天井材６の取付部１８が水平に設けてある。
中間部下地材３ｂは、垂木１，２の下面に取付く下地材本体４ａと、下地材本体４ａに下方より係合する下地調整材５の２部材で構成されている。下地材本体４ａは、アルミ形材で形成した長尺材であり、上面側に垂木１，２下面への取付部１７が垂木１，２の傾斜に合わせて傾斜して設けてあり、その下に略矩形断面の中空部１９を有している。下地調整材５は、アルミ形材で形成した長尺材であり、下地材本体４ａの中空部１９と嵌合するように、上側が開放したコ字状断面に形成してある。下地調整材５は、下地材本体４ａに下方より係合させると、手を離しても抜け落ちないように、引っ掛かり２０が設けてある。
中央部下地材３ｃは、垂木１，２の下面に取付く下地材本体４ｂと、下地材本体４ｂに下方より係合する下地調整材５の２部材で構成されている。下地材本体４ｂは、アルミ形材で形成した長尺材であり、上面側に垂木１，２下面への取付部１７が水平に設けてあり、その下に略矩形断面の中空部１９を有している。中空部１９は、中間部下地材３ｂのものよりも上下方向に長くなっている。下地調整材５は、アルミ形材で形成した長尺材であり、下地材本体４ｂの中空部と嵌合するように、上側が開放したコ字状断面に形成してある。
中間部下地材３ｂの下地調整材５と中央部下地材３ｃの下地調整材５は、共通の部材となっている。これらの下地調整材５は、図２に示すように、下面の高さが端部下地材３ａの下面と同じ高さになるように上下位置を調整してから、ネジ２１で下地材本体４ａ，４ｂに固定される。
【００１１】
これらの下地材３ａ，３ｂ，３ｃの配置は、図９に示すように、屋根９の幅（垂木１，２の長さ）に応じて違わせられる。屋根９の幅が小さい場合は、図９（ａ）に示すように、２つの端部下地材３ａ，３ａのみが取付けられる。それより屋根９の幅が大きくなると、図９（ｂ）に示すように、２つの端部下地材３ａ，３ａと１つの中央部下地材３ｃが取付けられる。さらに屋根９の幅が大きくなると、図９（ｃ）に示すように、２つの端部下地材３ａ，３ａと２つの中間部下地材３ｂ，３ｂが取付けられる。
【００１２】
図１，２に示すように、左右の桁１４の下面には、天井材桁カバー２２が取付けてある。天井材桁カバー２２は、アルミ形材で形成され、桁１４の内側に向けて突出する突片２３を有し、突片２３で天井材６の左右端部を受けると共に、天井材６と桁１４の間の隙間を隠している。
また、図３に示すように、下地材３ａ，３ｂ，３ｃの前後の端部の下面には、天井材枠２４がネジ２５で取付けてある。天井材枠２４は、下側が開口する略コ字形断面に形成してある。天井材枠２４には、天井材カバー２６が天井材枠２４の溝に下方より係合して取付けられ、ネジ２７で固定してある。天井材カバー２６は、天井材６の前側及び後側の端部を覆っている。
【００１３】
図３に示すように、天井材６には透光パネル体６ａと非透光パネル体６ｂの２種類がある。非透光パネル体６ｂは、アルミ形材で形成したものであり、前側の端部に係合部７が前方に向けて突出して形成してあり、後側の端部には後側に向けて開口する溝状の被係合部８が形成してあると共に、下地材３ａ，３ｂ，３ｃの下面に当接してネジ２８で固定される取付部２９が被係合部８よりも後側に突出して形成してある。
透光パネル体６ａは、図３，１６に示すように、透明な樹脂パネルよりなる透光パネル３０をアルミ形材よりなる前枠３１と後枠３２と側枠３３，３３とで囲んで形成してある。前枠３１には係合部７が非透光パネル体６ｂと同じ形状で設けてあり、後枠３２には被係合部８と取付部２９が非透光パネル体６ｂと同じ形状で設けてある。透光パネル体６ａは、外形寸法（前後方向及び左右方向の長さ）が非透光パネル体６ｂとほぼ同じになっている。したがって透光パネル体６ａと非透光パネル体６ｂとは、相互に置き換え可能である。
【００１４】
一番前側に位置する天井材６は、図３に示すように、前側端部に形成された係合部７をスペーサー３４を挟んで各下地材３ａ，３ｂ，３ｃの下面にネジ２８で固定すると共に、後側端部に形成された取付部２９を各下地材３ａ，３ｂ，３ｃの下面に当接してネジ２８で固定してある。その他の天井材６は、前側端部に形成された係合部７を前側に隣接する天井材６の被係合部８に後方から係合させ、後側端部の取付部２９のみを各下地材３ａ，３ｂ，３ｃにネジ２８で固定してある。
図３に示す例では、透光パネル体６ａの前側と後側に隣接して非透光パネル体６ｂが配置され、透光パネル体６ａの係合部７に非透光パネル体６ｂの被係合部８が係合し、被係合部８に非透光パネル体６ｂの係合部７が係合しているが、先に述べたように透光パネル体６ａと非透光パネル体６ｂは相互に置き換え可能なので、透光パネル体６ａの係合部７に透光パネル体６ａの被係合部８が係合し、被係合部８に透光パネル体６ａの係合部７が係合することもできる。
【００１５】
本簡易建物は、前後に並べて配置される天井材６，６，…の中に透光パネル体６ａを任意の位置に任意の数配置することができる。図６に示す例は、家の前の敷地に屋根９が左右に３つ並べて設置してあり、右側の屋根９は玄関３５の前のアプローチの上に位置するため、屋根９の下が全体的に明るくなるように、透光パネル体６ａを前後方向に分散して配置してある。左側と中央の屋根９は、家のテラス窓３６の前側に日光が射し込んで明るくなるように、透光パネル体６ａを後側（家側）に寄せて複数並べて配置してある。
【００１６】
次に、本簡易建物の施工手順を説明する。まず、前後のフレーム１２ａ，１２ｂを立設する。次に、左右の桁１４，１４を梁１０の下に吊り金具１３で取付け、左右の桁１４，１４間に妻垂木２と垂木１を取付ける。次に、妻垂木２と垂木１の間、垂木１同士の間に屋根パネル１５を取付ける。その後、屋根９の周囲を囲むように破風１６ａ，１６ｂを取付ける。
【００１７】
そうして屋根９の組立が終わってから屋根９の下に天井材６を施工する。天井材６の施工手順を説明すると、まず図７（ａ）に示すように、左右の桁１４の下面に天井材桁カバー２２を取付ける。天井材桁カバー２２は、図７（ｂ）に示すように、上面に突設した係止部３７を桁１４下面の溝３８に引っ掛け、内側に設けた突片４５を桁１４の内側面にネジ３９で固定した後、図７（ｃ）に示すように、外側の端部を桁１４の下面にネジ４０で固定して取付ける。
次に、図８に示すように、垂木１，２の下面に端部下地材３ａと、中間部下地材３ｂ及び中央部下地材３ｃの下地材本体４ａ，４ｂをネジ４１で取付ける。
次に、図１０（ａ）に示すように、下地材本体４ａ，４ｂに対して下地調整材５を下方より係合して取付ける。下地調整材５は、図１０（ｂ）に示すように、下面の高さが端部下地材３ａの下面と同じ高さになるように上下位置を調整してから、前後から下地材本体４ａ，４ｂにネジ２１で固定する。図１０（ｃ）に示すように、下地調整材５にはネジ２１の挿通孔４２があらかじめ形成され、下地材本体４ａ，４ｂにはネジ２１を挿入する目安になるＲ溝４３が上下方向に間隔をおいて設けてあり、Ｒ溝４３を目安とすることで下地調整材５の高さ調整が容易に行える。
次に、図１１（ａ）に示すように、取付けた各下地材３ａ，３ｂ，３ｃの前側及び後側の端部に天井枠材２４をネジ２５で取付ける。このとき、図１１（ｂ）に示すように、天井枠材２４の外向きの突片４４を妻破風１６ｂに突き当てて取付ける。
次に、図１２（ａ）に示すように、前側端部の天井材６（透光パネル体６ａ又は非透光パネル体６ｂ）を各下地材３ａ，３ｂ，３ｃの下面にネジ２８で取付ける。このとき天井材６は、図１３に示すように、左右の天井材桁カバー２２，２２の間にけんどんで嵌め込んでから、図１２（ｂ）に示すように、先に取付けた天井材枠２４に押し付けながら固定する。
次に、図１４（ａ）に示すように、その他の天井材６（透光パネル体６ａ又は非透光パネル体６ｂ）を前側から順番に各下地材３ａ，３ｂ，３ｃの下面に取付ける。このとき天井材６は、左右の天井材桁カバー２２，２２の間にけんどんで嵌め込んでから、図１４（ｂ）に示すように、前側に押し付けるようにして係合部７を隣接する天井材６の被係合部８に係合させ、後端部の取付部２９をネジ２８で各下地材３ａ，３ｂ，３ｃに固定する。このように前側の端部以外の天井材６は、先に取付けた天井材６の被係合部８に係合部７を係合させ、後側端部の取付部２９だけを下地材３ａ，３ｂ，３ｃにねじ止めすればよいため、天井材６の施工が容易である。
最後に、図１５（ａ），（ｂ）に示すように、天井材カバー２６を天井材枠２４に下方より嵌め込んで取付け、ネジ２７で固定する。
【００１８】
以上に述べたように本簡易建物は、垂木１，２の長手方向に間隔をおいて下地材３ａ，３ｂ，３ｃを設けてあり、下地材３ｂ，３ｃは、垂木１，２の下面に取付く下地材本体４ａ，４ｂと、下地材本体４ａ，４ｂに下方より係合する下地調整材５とを有し、下地材本体４ａ，４ｂに対する下地調整材５の位置を上下方向に調整して、下地調整材５の下面に天井材６を取付けることで、垂木１，２が長手方向の端部が低くなるように傾斜していても、天井材６を容易に施工することができる。
下地材本体４ａ，４ｂは、上下方向の寸法と垂木１，２への取付面の角度が異なるものが複数種類あることで、垂木１，２の傾斜角度や長さの違いに柔軟に対応でき、各下地材本体４ａ，４ｂに取付く下地調整材５は共通とすることで、コストを削減できる。
下地調整材５は、上側が開放したコ字状断面であるため、下地材本体４ａ，４ｂに対して下方より容易に係合取付けできる。
【００１９】
また本簡易建物は、天井材６と、天井材６が取付く被取付材（屋根）９とを備え、天井材６は、透光パネル体６ａと非透光パネル体６ｂとを有し、両パネル体６ａ，６ｂは、一側部に係合部７を、他側部に被係合部８を有し、透光パネル体６ａの係合部７に透光パネル体６ａ又は非透光パネル体６ｂの被係合部８が係合し、被係合部８に透光パネル体６ａ又は非透光パネル体６ｂの係合部７が係合していることで、天井材６の施工が容易に行え、しかも透光パネル体６ａをニーズに合わせて自由に配置することができるので、家の玄関３５やテラス窓３６等の前が暗くならないように、光を取り入れることができる。
透光パネル体６ａは、透光パネル３０を枠３１，３２，３３で囲んだものであり、枠３１，３２に係合部７と被係合部８を設けてあるので、係合部７と被係合部８を持つ透光パネル体６ａを容易に製作できる。
透光パネル体６ａと非透光パネル体６ｂの外形寸法をほぼ同じにしたので、透光パネル体６ａと非透光パネル体６ｂとが相互に置き換え可能で、非透光パネル体６ｂをあとから透光パネル体６ａに交換することも可能である。
【００２０】
本発明は以上に述べた実施形態に限定されない。屋根の形状、構造は、適宜変更することができる。屋根は、梁上に支持することもできる。垂木は、湾曲して傾斜するものの他、一定の角度でまっすぐに傾斜するものであってもよい。下地材及び天井材の形状、材質は、適宜変更することができる。下地材の配置数、間隔は、適宜変更することができる。本発明は、カーポートに限らず、例えば通路用のシェルター、テラスの屋根など、あらゆる簡易建物に適用することができる。
【符号の説明】
【００２１】
１  垂木
２  妻垂木（垂木）
３  下地材
３ａ  端部下地材（下地材）
３ｂ  中間部下地材（下地材）
３ｃ  中央部下地材（下地材）
４ａ，４ｂ  下地材本体
５  下地調整材
６  天井材
６ａ  透光パネル体（天井材）
６ｂ  非透光パネル体（天井材）
７  係合部
８  被係合部
９  屋根（被取付材）
【図１】
2020148006.tif 000003
【図２】
2020148006.tif 000004
【図３】
2020148006.tif 000005
【図４】
2020148006.tif 000006
【図５】
2020148006.tif 000007
【図６】
2020148006.tif 000008
【図７】
2020148006.tif 000009
【図８】
2020148006.tif 000010
【図９】
2020148006.tif 000011
【図１０】
2020148006.tif 000012
【図１１】
2020148006.tif 000013
【図１２】
2020148006.tif 000014
【図１３】
2020148006.tif 000015
【図１４】
2020148006.tif 000016
【図１５】
2020148006.tif 000017
【図１６】
2020148006.tif 000018